(57)【特許請求の範囲】
【請求項１】
設備、センサ等が接続された端末器と信号線で接続され、設備の制御、監視やセンサの監視を行う設備管理装置において、表示装置で表示される操作や設定の画面の表示を、メインメニューの画面を第１階層として、順次下位の階層に分岐する複数の階層化された画面で行い、第２階層以下の操作や設定の表示画面には、現在画面の階層より上位階層の画面のアイコンを表示する画面階層フィールドを設けるとともに、現在の表示画面の階層系列とは別の階層系列に属した関連画面にジャンプして表示させる関連画面アイコンと表示される該関連画面アイコンを切り替える関連画面選択アイコンとを表示する関連画面ジャンプフィールドを、前記画面階層フィールドと別に設けていることを特徴とする設備管理装置。
【発明の詳細な説明】
【０００１】
【発明の属する技術分野】
本発明は、設備管理装置に関するものである。
【０００２】
【従来の技術】
ビル等では、照明、空調、給排水、セキュリティ等の各種設備を相互に連動させながら、最適な稼働状態に管理する遠隔監視制御システムが設置されている。図１３はこのシステム例を示しており、このシステムではシステムの中枢となる設備管理装置１と、この設備管理装置１により監視制御される端末器２…とからなり、端末器２…には例えば動力制御盤、電灯分電力盤、空調盤等に組み込まれて設備を制御する制御用端末器や、各種センサが接続され接続されたセンサの感知情報を送信する監視用端末器がある。
【０００３】
各端末器２…は設備管理装置１に設けた伝送ボード４に対して信号線３を介して接続されている。伝送ボード４はアドレスデータ、制御データ、返信待機期間等からなる時分割多重伝送信号を送信して各端末器２…をアクセスし、制御用端末器に対しては設備制御用の制御データを与えて設備を遠隔制御し、監視用端末器に対しては返信待機期間において感知情報を監視データとして返信させて受信する機能を備えている。
【０００４】
そして設備管理装置１には監視用端末器と制御用端末器との連動関係等の設定や、負荷制御諸条件の設定を行なったり、或いは設備の操作、更には設備の状態やセンサの状態をモニタするための信号処理や制御を行なうＣＰＵブロック５を設けている。このＣＰＵブロック５は、バスライン６を通じて上記伝送ボード４、更に個別に設備の操作や各種設定を行なう操作スイッチを複数備えた操作実行スイッチ部７、更に操作実行スイッチ部７の各操作スイッチに対応して設けられ、各操作スイッチにより操作される設備の状態を表示する発光素子を備えた操作表示部８、設備の操作や、各種設定条件の入力設定等を行なうためのキーボード９と設備の状態のモニタや設定、操作のモニタを行なうためのＬＣＤ１０とからなるモニタブロック１１、プリンタ用インターフェース１２Ａ，１２Ｂ、フロッピーディスクドライブ１３、更に外部Ｉ／Ｏボード１４を接続しており、操作実行スイッチ部７の操作入力やキーボード９の操作入力に基づいて、対応関係のある端末器２に対して伝送するための制御データを作成して伝送ボード４に与えたり、或いは伝送ボード４が受信する監視データを受け取ってその内容に応じてＬＣＤ１０で画面表示させたり、或いはキーボード９で設定される諸条件を内蔵メモリに記憶し、この記憶された諸条件に応じて制御データの作成等を行なう機能や、設定内容やモニタ内容をプリンタ用インターフェース１２Ａや１２Ｂに接続されたプリンタ１５Ａ，１５Ｂで印字させたり、更には外部Ｉ／Ｏボード１４を通じて外部に移報出力したり、或いは電源の停電検出信号を入力したりするようになっている。
【０００５】
尚電源ブロック１６は通常時には商用交流を所定の電圧の直流に変換して設備管理装置１の各部に電源を供給するものである。またバックアップブロック１７は商用交流の停電時に設備管理装置１の各部の電源をバックアップするための電源部を構成する。
【０００６】
【発明が解決しようとする課題】
ところで上記システムに用いられる設備管理装置１では、モニタブロック１１のＬＣＤ１０での画面表示はメインメニューの画面を最上位の階層としツリー状に分岐した複数に階層化した画面で行なうようになっている。
そして、従来例では、或る画面から他の関連画面に移行しようとした場合、関連画面の階層が属する系と分岐する階層の画面まで現在の画面の階層から該階層が属する系の階層を順次移行させる必要があり、そのため移行する途中の各階層の画面で移行するための操作を必要とし、操作が非常に煩雑となるという問題があった。
【０００７】
そこで関連画面へジャンプさせるために、現在表示されている画面に関連する関連画面のアイコンを表示する関連画面ジャンプフィールドを設け、表示されている関連画面のアイコンを操作することにより、関連画面をジャンプ表示させる方法が提案されている。
しかし、この場合も関連画面が多数存在する場合には、関連画面のアイコンをその数だけ表示しなければならず、そのため関連画面ジャンプフィールドの大きさを、表示するアイコンの最大数に併せて設定しなければならず、場合によっては画面に収まりきれないという問題があった。
【０００８】
本発明は、上記の点に鑑みて為されたもので、その目的とするところは、関連画面ジャンプフィールドで表示される関連画面のアイコンを切り替え表示でき、関連画面が多数存在しても限られた関連画面ジャンプフィールドの大きさで対応可能で、しかも切り替え操作も簡単な設備管理装置を提供することにある。
【００１０】
【課題を解決するための手段】
上記目的を達成するために、請求項１の発明では、設備、センサ等が接続された端末器と信号線で接続され、設備の制御、監視やセンサの監視を行う設備管理装置において、表示装置で表示される操作や設定の画面の表示を、メインメニューの画面を第１階層として、順次下位の階層に分岐する複数の階層化された画面で行い、第２階層以下の操作や設定の表示画面には、、現在画面の階層より上位階層の画面のアイコンを表示する画面階層フィールドを設けるとともに、現在の表示画面の階層系列とは別の階層系列に属した関連画面にジャンプして表示させる関連画面アイコンと表示される該関連画面アイコンを切り替える関連画面選択アイコンとを表示する関連画面ジャンプフィールドを、前記画面階層フィールドと別に設けていることを特徴とし、階層を順次移行するような過程なしに別の階層系列に属する関連画面を直接ジャンプ表示させることができ、関連画面を表示させるために煩雑な操作を必要とせず、その上関連画面のアイコンの数が多くて限られた関連画面ジャンプフィールドの大きさに収まらなくても、関連画面のアイコンを切り替えて関連画面ジャンプフィールド内に表示させることができ、そのため多数の関連画面があっても目的の関連画面アイコンを容易に選択操作することができる。
【００１２】
【発明の実施の形態】
図５は本発明の実施形態の設備管理装置１の外観を示しており、装置本体３０の正面の上半分には各設備（各管理点）に対応して設けられ対応する管理点の状態表示を行なうための複数の表示部２０と、設備の動作、停止の操作や各種設定の操作を行なうスイッチ部及び操作情報を表示する７セグメントの表示器とからなる操作部２１とからなるアナンシェータ部２２を設け、このアナンシェータ部２２の下方にはタッチパネル付のＬＣＤ１０からなるモニタブロック１１と、各種メッセージや雑情報を印字するプリンタ１５Ａを設けてある。内部には管理データ等各種データを保存するためのフロッピーディスクドライブ１３や、電源ブロック１６、更に設備管理装置として必要な回路ブロックが内蔵されている。
【００１３】
装置本体３０の正面パネル３１は扉開閉鍵２８により施錠できる扉構造となっている。フロッピーディスクドライブ１３は正面パネル３１を開くことにより使用することができることになる。図６は設備管理装置１の回路ブロックの概略構成を示しており、基本的には図１３の従来例と同じであって、同様な動作を為す回路ブロックには同じ番号を付す。尚図１の電源ブロック１６及び図１３に示す外部Ｉ／Ｏボード１４は図６では図示するのを省略している。
【００１４】
さて本実施形態のＣＰＵブロック５は図示するようにメインＣＰＵ５０と、サブＣＰＵ５１，５２と、記憶部５３とで構成され、サブＣＰＵ５１でプリンタ用インターフェース１２Ｂを介して外部に設けられるロギングプリンタ１５Ｂの印字の制御を行ない、サブＣＰＵ５２で伝送ボード４との間のデータの授受及びアナンシェータ部２２との間のデータの授受、またメインＣＰＵ５０はサブＣＰＵ５１，５２との間のデータの授受を行い、モニタブロック１１の表示装置であるＬＣＤ１０の画面表示の制御、更にＬＣＤ１０の表示面に配置した透明電極からなるタッチパネル２９のタッチ操作信号の処理と、更にプリンタ用インターフェース１２Ａを通じてメッセージ用のプリンタ１５Ａの印字を制御し、更にフロッピーディスクドライブ１３の制御を行なうようになっている。
【００１５】
次に本発明の設備管理装置１の特徴である動作について以下に説明する。尚全体のシステムの動作は従来のシステムと同様であるため、ここでは特に説明しない。而して、設備管理装置１のＣＰＵブロック５はシステムが稼働中においては、伝送ボード４を通じて受け取る各設備のオン、オフ状態をアナンシェータ部２２の各設備に対応して設けてある表示部２０に図７に示すように設けてある発光ダイオードＬＥＤ１又はＬＥＤ２で表示する。
【００１６】
そしてモニタブロック１１のＬＣＤ１０には予め設定してある表示体系に基づいて画面表示を行なうようなっている。つまり待機状態ではメインメニューの画面（図８）を表示させ、このメインメニュー画面を第１階層とし該メインメニュー画面で選択されて表示される次のメニュー画面を第２階層とし、更にこれらのメニュー画面で選択された次の操作、設定の画面を第３階層とするというようにメインメニュー画面を頂点として順次分岐された階層構造で画面を表示するようになっており、本実施形態では図１１のような４つの階層構造の表示体系を構成している。尚図１１中ページ数の欄に対応する数字はその画面のページ数を示す。勿論図１１の画面階層は一例であって、特にこの図１１の例には限定されない。
【００１７】
ここでＬＣＤ１０の表示画面は基本的に図９に示すように複数の表示部位に分割したレイアウトが設定されており、図示例では表示部位（ａ）は警報発生、未確認警報、火災発生、停電発生のような緊急事態に対応したアイコン表示を行なう代表表示フィールドを構成し、表示部位（ｂ）は操作、設定する内容のアナウンスを表示する入力ガイダンスフィールドを構成し、また表示部位（ｃ）はオペレータのキー入力操作に対するアナウンス（操作エラー等）を表示する入力エラー表示フィールドを構成する。更に表示部位（ｄ）は現在表示している画面名称を表示する画面名称表示フィールドを構成し、表示部位（ｅ）は現在のパスワードレベルをアイコン表示するフィールドである。表示部位（ｆ）はＬＣＤ画面のクリーニングを行なう場合に選択するアイコンを表示するフィールド、更に表示部位（ｇ）は現在の西暦年、月日、曜日、時刻を表示するカレンダーフィールド、表示部位（ｈ）は現在表示している画面のページ数と、その画面の持つ全ページ数を表示する画面ページ表示フィールド、表示部位（ｉ）は、各種画面を表示するとともに設定、操作するポイント、項目の選択のための操作設定データ画面表示フィールド、表示部位（ｊ）は現在表示している画面の上位階層画面のアイコンを表示する画面階層フィールド、表示部位（ｋ）は現在表示しているページの一つ前（一つ次）のページの画面を表示するアイコンを表示するフィールド、表示部位（ｌ）は例えばヘルプ画面、前画面、画面印字、画面消去、ブザー停止（警報ブザーの鳴動の停止）等のファンクションキーのアイコンを表示する部位からなり、図８のようなメインメニューやメニューの第１、第２の階層の画面表示に用いられる。
【００１８】
また図１０に示すように表示部位ｉの面積が小さくなって、その側方に設定、操作する操作部の表示を行なう設定操作フィールドを構成する表示部位（ｍ）と、現在表示中の画面に関連する画面のアイコンを表示する表示部位（ｎ）と、関連する画面が例えば４画面以上の場合、関連する画面アイコンの表示を切り替えるアイコンを表示する表示部位（ｏ）とが追加設定されたレイアウトの画面があり、この画面は第３、第４の設定、操作の画面に用いられる。ここで表示部位（ｎ）（ｏ）が関連画面ジャンプフィールドを構成する。
【００１９】
而して本発明の設備管理装置１では、メインメニュー画面には、状態表示、一覧表示、操作表示、復旧処理、機能設定、スケジュール、データ管理、運用条件等の下層のメニュー選択の項目が表示されており、操作や設定を行なう場合、その目的に合ったメニューに対応する項目表示部位上のタッチパネル２９の部位にタッチすると、そのタッチ操作信号がＣＰＵブロック５に送られてＣＰＵブロック５は記憶部２３に予め記憶してある対応するメニュー画面のデータ読み出し、ＬＣＤ１０の表示画面をメニュー画面に切り替える。
【００２０】
ここで、メインメニュー画面で機能設定の項目がタッチ操作されると、ＣＰＵブロック５ではこの選択に応じて記憶部５３に予め記憶させている複数のメニュー画面データから対応するメニュー画面データを読み出し、ＬＣＤ１０の画面にその機能設定のメニュー画面を第２階層の画面とし表示させる。この画面で、例えばセンサの計測上下限監視表示の項目を選択してタッチ操作すると、ＣＰＵブロック５は更に対応する計測上下限監視の設定、操作データ画面に対応する第３階層の画面データを記憶部５３より読み出して、図１に示すようにＬＣＤ１０の画面に表示させる。この表示画面のレイアウトは図１０のレイアウトに対応するもので、表示部位（ｉ）の左側上に、カード状画面６０が表示され、また右側には計測上下限監視の表題項目と、各表題に対応する上限値、下限値の各設定項目が表示される。またこの場合関連画面のアイコンが表示部位（ｎ）に３個表示されるとともに、関連画面が３画面よりも多いため表示部位（ｏ）に関連画面のアイコンの切り替え表示を行なうためのアイコンが表示される。
【００２１】
カード状画面６０は種々の画面があるが計測上下限監視の設定、操作データ画面では、管理ポイントを示す管理ポイントカードが表示される。この管理ポイントカードは、センサ等の機器の略号と、センサの計測、計量値のアナログ値及びその単位と、管理ポイントの名称（機器名称）と、当該機器のアイコンとを表示するようになっている。
【００２２】
次に図１に示す画面での設定操作について図４のフローチャートに基づいて説明する。図１の画面の状態ではＣＰＵブロック５はタッチパネル２９の入力待ちとなり、画面上の項目がタッチされたかどうかをチェックする状態となる。ここで項目の一つが選択されてタッチされると、ＣＰＵブロック５はタッチパネル２９からのタッチ操作信号に基づいて項目の種類を検出する。つまり管理ポイントカードの画面６０がタッチ操作されたのか、或いは関連画面のアイコンがタッチ操作されたのか、更にはアイコン切り替えのアイコンがタッチ操作されたのかを順次チェックする。もし関連画面のアイコンの切り替えを行なうアイコンがタッチ操作されると、ＣＰＵブロック５の制御の下で、現在表示部位（ｎ）で表示している関連画面のアイコン、図示例では「設定一覧」、「スケジュール一覧」、「状態一覧」のアイコンから、表示されていない別の関連画面のアイコン、例えば「計測一覧」、「計量一覧」のアイコンが図２に示すように切り替え表示される。
【００２３】
この図２において関連画面のアイコンの切り替えを行なうアイコンがタッチ操作されると、未だ表示されていない関連画面のアイコンがあればそのアイコンを切り替え表示させるが、例えば関連画面が合計５画面の場合、図１に戻って「設定一覧」、「スケジュール一覧」、「状態一覧」のアイコンを表示させる。つまり現在表示部位（ｉ）で表示されている設定、操作データ画面に対応して予め登録された関連画面のアイコンの表示がローテションされるようになっている。
【００２４】
さて図２において、画面６０で表示されている管理ポイントカードがタッチ操作されると、ＣＰＵブロック５は当該管理ポイントカードで表示されている管理ポイントを記憶部５３に記憶するとともに、管理ポイントカードの表示枠を図３に示すように細線から太線に切り替えて表示し、管理ポイントカードが選択されたことを示す。
【００２５】
次にこの状態で関連画面のアイコンの一つ、例えば図３で表示されている「計測一覧」のアイコンがタッチ操作されると、ＣＰＵブロック５は記憶部５３に管理ポイントが記憶されているかどうかをチェックする。この場合記憶されているので、この記憶されている管理ポイントが表示しようとする「計測一覧」の画面に登録されているかどうかをチェックし、登録されている場合には登録されている対応ページの計測一覧画面データを記憶部５３から読み出し、図１２に示すように計測一覧画面を表示部位（ｉ）で表示させる。
【００２６】
記憶された管理ポイントが表示使用とする画面に登録されていない場合には第１ページの画面を表示する。同様に管理ポイントが記憶されていない場合には第１ページの画面を表示する。
このように関連画面のアイコンがタッチ操作されたり、関連画面のアイコンを切り替え表示させるアイコンがタッチ操作された場合には、上述したように図４に示すフローチャートに基づいた処理をＣＰＵブロック５は行う。
【００２７】
尚タッチ操作された項目が、関連画面アイコンや表示切り替えのアイコンではなく設定、操作の項目の場合には、設定、操作に対応した処理ルーチンをＣＰＵブロック５は実行する。
【００２８】
【発明の効果】
請求項１の発明は、設備、センサ等が接続された端末器と信号線で接続され、設備の制御、監視やセンサの監視を行う設備管理装置において、表示装置で表示される操作や設定の画面の表示を、メインメニューの画面を第１階層として、順次下位の階層に分岐する複数の階層化された画面で行い、第２階層以下の操作や設定の表示画面には、現在画面の階層より上位階層の画面のアイコンを表示する画面階層フィールドを設けるとともに、現在の表示画面の階層系列とは別の階層系列に属した関連画面にジャンプして表示させる関連画面アイコンと表示される該関連画面アイコンを切り替える関連画面選択アイコンとを表示する関連画面ジャンプフィールドを、前記画面階層フィールドと別に設けているので、階層を順次移行するような過程なしに別の階層系列に属する関連画面を直接ジャンプ表示させることができ、関連画面を表示させるために煩雑な操作を必要とせず、その上関連画面のアイコンの数が多くて限られた関連画面ジャンプフィールドの大きさに収まらなくても、関連画面のアイコンを切り替えて関連画面ジャンプフィールド内に表示させることができ、そのため多数の関連画面があっても目的の関連画面アイコンを容易に選択操作することができるという効果がある。
【図面の簡単な説明】
【図１】本発明の実施形態の動作説明図である。
【図２】同上の実施形態の動作説明図である。
【図３】同上の実施形態の動作説明図である。
【図４】同上の動作説明用フローチャートである。
【図５】（ａ）は同上の正面図である。（ｂ）は同上の側面図である。
【図６】同上の回路構成図である。
【図７】同上の表示部の拡大正面図である。
【図８】同上のＬＣＤの画面表示例図である。
【図９】同上のＬＣＤの画面の表示部位のレイアウト説明図である。
【図１０】同上のＬＣＤの画面の表示部位の別のレイアウト説明図である。
【図１１】同上の画面の階層構造の説明図である。
【図１２】同上の別の動作説明図である。
【図１３】従来例を用いたシステム全体の構成図である。
【符号の説明】
１０  ＬＣＤ
６０  画面
（ｏ）  表示部位
（ｎ）表示部位
【図１】
0003721628.tif 000002
【図２】
0003721628.tif 000003
【図３】
0003721628.tif 000004
【図４】
0003721628.tif 000005
【図５】
0003721628.tif 000006
【図６】
0003721628.tif 000007
【図７】
0003721628.tif 000008
【図８】
0003721628.tif 000009
【図９】
0003721628.tif 000010
【図１０】
0003721628.tif 000011
【図１１】
0003721628.tif 000012
【図１２】
0003721628.tif 000013
【図１３】
0003721628.tif 000014